(57)【要約】      （修正有）【課題】生ごみ収集かごを流しに取付け、水を流しながらフードミキサーで生ごみをジュース状に粉砕し、水を流しながら生ゴミを洗い流す器具を提供する事により、ディスポーザーの設置工事費や水質管理費、設備維持管理費用などの費用負担を無くし、ごみを処理する為の公共施設や搬送、処理後の廃棄物の問題と環境汚染や二酸化炭素の発生などの削減問題などを無くす。【解決手段】生ごみ収集かごとフードミキサーをセットで使用する事により生ごみ粉砕器具を構成する。水を流しながらフードミキサーのカッターを回転させ、生ごみ収集かご内の生ごみをすばやく粉砕してジュース状にして、排水管へ排出する。また、流しの上部への水はねを防止するため、水返しのつばを取付けたことを特徴とし、流し台にカッター部を取り付けていない為、従来のディスポーザーと異なり、従来の流し台に生ごみ収集かごをセットするだけで、既存の排水管や終末処理場が利用できる。【選択図】  図１
2006272306.tif 000002
【特許請求の範囲】
【請求項１】
生ごみ収集かごと、フードミキサーを組み合わせたものを使用することによって、生ごみをジュース状に粉砕して、水を流しながら生ゴミを洗い流す器具を特徴とする。
【請求項２】
生ごみ収集かご上部に水はねを防止するための、水返しのつばが付いている構造のかごを使用することを特徴とする。
【請求項３】
生ごみ収集かごの水返しのつばの角度は３０度〜６０度の範囲で、かごの底部中央に向かって下向きに取り付けてある構造を特徴とする。
【請求項４】
生ごみ収集かごの底部は、平坦な板に大小の形状の異なる孔、図５の、大きさの異なる孔を１〜５個程度開け配列してある構造を特徴とする。
【請求項５】
生ごみ収集かごの底部の水切り排水孔の大きさの総合計面積は、１．４３平方センチメートル以下の大きさの孔であることを特徴とする。
【請求項６】
生ごみ収集かごの底の表面の形状は、すり鉢の底のような図５のように、山形の溝を切ってある構造を特徴とする。
【請求項７】
生ごみ収集かごは、図１の底部より上方へ、水溜り部分が出来るように排水孔の開いていない斜壁がある構造を特徴とする。
【請求項８】
生ごみ収集かごは、新規・既存の流しを問わず取付け出来るように、図１のかごの上部にはフランジ型のつばが取り付けて有り、排水トラップのアゴ部分に引っ掛けて取付けできる構造を特徴とする。
【請求項９】
フードミキサーの形状は、図２の駆動部分（モーター部分）とカッターの部分が２つに分離できカッターの交換が可能な構造を特徴とする。
【請求項１０】
フードミキサーの動力源は、直接コンセントへプラグを差し込んで使用できるもの、または充電して使用するコードレス式のもの、またはどちらでも併用使用可能な構造を特徴とする。
【請求項１１】
フードミキサーのカッターの刃の枚数は、図２の２枚刃、３枚刃、４枚刃の内のいずれかを持つ構造を特徴とする。
【請求項１２】
フードミキサーを直接コンセントへプラグを差し込んで使用するタイプの差込プラグは、漏電ブレーカー付きタップが取付けてある構造を特徴とする。
【請求項１３】
生ごみ収集かごとフードミキサーの材質は、食品衛生法に定められた規格の樹脂や金属等の材料で製作されたものを特徴とする。
【発明の詳細な説明】
【技術分野】
【０００１】本発明は一般家庭の流しの生ごみ収集かごの形状を、水返しのつばを取付けて改良した生ごみ収集かごに、フードミキサーを使用して野菜くずなどを粉砕しジュース状にして、水道水を流しながら下水道へ排水する器具に関すること。
【技術背景】
【０００２】従来の流し台の生ごみ収集かごの構造は、網目状のものが多く、目詰まりしやすく、中の生ごみを奇麗に取り出す手間が面倒で不衛生でもあります。そして野菜くずなどは、燃えるごみとしてほとんどの行政で、ごみ収集を行い処理場へ運搬して焼却処理などをするか、土中に埋設しているのが現状です。
【発明の開示】
【発明が解決しようとする課題】
【０００３】生ごみ収集かごの形状を改良した図４と、フードミキサー図２の製品をセットで組み合わせ、水を流しながらフードミキサーのカッターを回転させ、使用することにより、かご内の生ごみをすばやく粉砕処理して、排水管へ排出することが出来る器具。
毎日発生する生ごみは、別の容器に保管する必要がなく、生ごみ収集場所への運搬も無くなり、ごみ袋の中の汚水が外へ流れ出ることも無く、臭気も無く衛生的に生ごみが処理できることです。
各都道府県市町村の行政は、多額の費用と、膨大な土地・建物・設備やそれに伴う人件費、二酸化炭素の削減、ダイオキシンなどの環境対策などが必要とされていますが、この器具を使用することで減少させることができます。
【課題を解決するための手段】
【０００４】以上の課題を解決するために、第一発明は、
生ごみ収集かごと、フードミキサーを組み合わせたものを使用することによって、生ごみをジュース状に粉砕して、水を流しながら生ゴミを洗い流す器具を特徴とする。【０００５】第二発明は、図１の、生ごみ収集かご上部に水はねを防止するための、水返しのつばが付いている構造のかごを使用することを特徴とする。【０００６】第三発明は、図１の、生ごみ収集かごの水返しのつばの角度は３０度〜６０度の範囲で、かごの底部中央に向かって下向きに取り付けてある構造を特徴とする。【０００７】第四発明は、図１の、生ごみ収集かごの底部は、平坦な板に大小の形状の異なる孔、図５の、大きさの異なる孔を１〜５個程度開け配列してある構造を特徴とする。【０００８】第五発明は、図５の、生ごみ収集かごの底部の水切り排水孔の大きさの総合計面積は、１．４３平方センチメートル以下の大きさの孔であることを特徴とする。【０００９】第六発明は、生ごみ収集かごの底の表面の形状は、すり鉢の底のような図５のように、山形の溝を切ってある構造を特徴とする。【００１０】第七発明は、生ごみ収集かごは、図１の底部より上方へ、水溜り部分が出来るように、排水孔の開いていない、斜壁がある構造を特徴とする。【００１１】第八発明は、生ごみ収集かごは、新規・既存の流しを問わず取付け出来るように、図１のかごの上部にはフランジ型のつばが取り付けて有り、排トラップのアゴ部分に引っ掛けて取付けできる構造を特徴とする。【００１２】第九発明は、フードミキサーの形状は、図２の駆動部分（モーター部分）とカッターの部分が２つに分離できカッターの交換が可能な構造を特徴とする。【００１３】第十発明は、フードミキサーの動力源は、直接コンセントへプラグを差し込んで使用できるもの、または充電して使用するコードレス式のもの、またはどちらでも併用使用可能な構造を特徴とする。【００１４】第十一発明は、フードミキサーのカッターの刃の枚数は、図２の、２枚刃、３枚刃、４枚刃の内のいずれかを持つ構造を特徴とする。【００１５】第十二発明は、フードミキサーを直接コンセントへプラグを差し込んで使用するタイプの差込プラグは、漏電ブレーカー付きタップが取付けてある構造を特徴とする。【００１６】第十三発明は、生ごみ収集かごとフードミキサーの材質は、食品衛生法に定められた規格の樹脂や金属等の材料で製作されたものを特徴とする。
【発明の効果】
【００１７】生ごみ収集かごの形状を改良した図４と、フードミキサー図２をセットで組み合わせ、水を流しながらフードミキサーのカッターを回転させ、使用することにより、かご内の野菜くずなどの生ごみをすばやく粉砕処理して、排水管へ排出することが出来る。【００１８】毎日発生する生ごみは、別の容器に保管する必要がなく、生ごみ収集場所への運搬も無くなり、ごみ袋の中の汚水が外へ流れ出ることも無く、臭気も無く衛生的に生ごみが処理できることです。【００１９】各都道府県市町村の行政は、多額の費用と、膨大な土地・建物・設備やそれに伴う人件費、二酸化炭素の削減やダイオキシンなどの環境対策に貢献するができます。
【発明を実施するための最良の形態】
【００２０】この発明の実施形態の生ごみ粉砕器具の形状を図１に示す。【００２１】フードミキサーを分解したモータ部とカッター部の形状は図２に示す。【００２２】フードミキサーのカッターの形状は図３に示す。【００２３】生ごみ収集かごの側面図は図４に示す【００２４】生ごみ収集かごの平面図は図５に示す。【００２５】「実施形態の効果」【００２６】生ごみ粉砕器具はディスポーザーでは無いので、公共下水道又は高度な排水処理施設が設置されている建物等で使用できる製品です。【００２７】生ごみ粉砕器具は他の付属設備が無いため、３００ワット程度の電気容量で使用できるので電気使用量が少なくて済み環境汚染の省力化に貢献します。【００２８】使用できる生ごみは野菜くずなどの柔らか目の食品の生ごみで、固いもの、ネギのような薄皮のある野菜や、里芋の皮のようなひも状のものが付いたものはカッターの芯へ絡みつきやすいので使用できません。【００２９】生ごみは、ジュース状に粉砕されるため排水管にやさしく、水道水と一緒に流すため管内を清掃しながら排水されることが特徴です。【００３０】毎日発生する生ごみは、別の容器に保管する必要がなく、生ごみ収集場所への運搬も無くなり、ごみ袋の中の汚水が外へ流れ出ることも無く、臭気も無く衛生的に生ごみが処理できます。【００３１】各都道府県市町村の行政は、多額の費用と、膨大な土地・建物・設備やそれに伴う人件費、二酸化炭素の削減、ダイオキシンなどの環境対策に貢献することができます。【００３２】生ごみ粉砕器具はディスポーザーと違い、処理層の設置費と水質維持管理費は不要になり、電気代も機器の使用分だけで済み、機器を購入するだけの費用で環境にやさしく野菜くずなどの生ごみを、奇麗に清潔に片付け処理することができます。【００３３】生ごみ粉砕器具を使用中の水の量は、流水実験により５リットル／分以上の水が必要で、粉砕終了後に生ごみ収集かごや、流しの洗浄を行うことで、排水管内を洗浄清掃することができます。【００３４】流水実験により次の食品は、ジュース状に粉砕され問題の無かった食品は、じゃがいも・にんじん・大根・りんご・バナナ・みかん・柑橘類の皮・メロン、スイカの皮・お茶の葉・納豆・煮豆類・たまねぎ、らっきょ、エシャレットの実の部分・キャベツ・葉もの野菜の芯や茎・炊いたご飯の残りかす・とうもろこしの実などの柔らかめの野菜・たまごの殻・いわしの骨、皮・ゆでたトウモロコシ・メロン、スイカの皮。【００３５】流水実験により次の食品は、ジュース状に粉砕されず問題のある食品は、たまねぎの薄皮やねぎの薄皮・とうもろこしの皮と芯・たけのこの薄皮・しょうがの葉と茎・柏餅の葉・枝豆の茎、サヤ、そらまめ、いんげんなどの繊維状のある野菜・うど・らっきょ、エシャレット、ネギなどの葉と茎・梅干の種、さくらんぼの種、ピーナッツ、アーモンドなどの種・栗のイガ、皮・生肉・生魚の皮、骨・鳥の皮・餅・とまとの皮・菊の茎・果物の種・生米などの硬いもの。【００３６】「他の実施形態」
従来のディスポーザーは、食品のほとんどの生ごみを処理するため、各行政の規制により設置届の書類の作成と提出、維持管理等の義務があるため使用者は維持管理を行う必要があります。【００３７】ディスポーザーを使用するには、生ごみ処理層の設置工事、キッチン系統の排水管は一般の排水系統と異なる配管設備を設ける工事、流し台にディスポーザーを設置する工事、バッキブロワーの設置工事とその機械室、デイスポーザーを使用するための電気工事と電気料金、維持管理費用など費用が使用者の負担になります。【００３８】従来の流し台の中は大きなスペースが必要で、食品の収納容積が少なくなっているのが現状です。
【実施例】
【００３９】現在の建築基準法やその他の関連法では、便所の排水、流しの排水、洗濯機の排水、浴室の排水などの汚水は、公共下水道又は高度な排水処理施設が設置されている排水管に接続しなければなりません。【００４０】従来のディスポーザーは、食品のほとんどの生ごみを処理するため、各行政の規制により処理層の設置届の書類の作成と提出、維持管理等の義務があるため使用者は維持管理を行う必要があります。【００４１】生ごみ収集かごとフードミキサーの組合せることによりハンドディスと言う器具になります、流し台に機器を取り付けしないため下水道の完備されている地域ではどこでも使用可能な器具です。【００４２】一般的下水道の利用方法は、食材に付いている土や汚れの洗浄、調理前の下ごしらえの残りかすや、魚肉貝類の洗浄、食器類の洗浄、野菜ジュースなどの飲み物の余りや飲み残し、食器洗剤、洗濯機の洗剤、大小便の汚物、便器の洗浄と便器汚れ落としの洗浄剤や消臭剤などいろいろな水が排水されているのが現状と思われます。【００４３】「生ごみ粉砕器具の取り扱い方」
生ごみ収集かごを流し台に取り付ける。
野菜くずを２センチ角程度以下の大きさに切り、生ごみかご収集かごの中に挿入する。
フードミキサーの電源差込プラグを電源コンセントに差し込む。
水道の水栓を開き水を出す。
フードミキサーを生ごみ収集かごの中へ差し込み、スイッチを入れる。
フードミキサーをかごの中で上下させ、生ごみを粉砕する。
生ごみが奇麗に排水されたら、水を止める。
スイッチを切り、フードミキサーを取り出し電源差込プラグを外す。
水を流しながら生ごみ収集かごの内外を洗浄清掃する。
流し台に生ごみ収集かごを取り付ける。
【産業上の利用可能性】
【００４４】これからの２１世紀は、環境に十分配慮した生活を考えなければなりません。
生ごみは人間が各家庭に出向き収集した生ごみを、自動車で処理場へ運び、設備投資をして作った処理施設で焼却したり、埋め立てたりして生ごみを処理しています。【００４５】各行政の処理施設の公害の問題や維持管理費、償却した燃えカスなどの処理の問題、電気や油を使用して処理するのでその費用と環境汚染があります。【００４６】生ごみ粉砕器具は、既存の排水管や終末処理場が利用できるためこれからの２１世紀の生活環境が良い方向になり、環境汚染防止に役立つことになります。【００４７】公共下水道又は高度な排水処理施設が設置されている地域の建物であれば即使用可能です。【００４８】生ごみ粉砕器具は野菜類をジュース状に粉砕して流すため排水管や処理施設に害はありません。
【図面の簡単な説明】
【００４９】この発明の実施形態の生ごみ粉砕器具の側面図を〔図１〕に表す。
この発明の実施形態のフードミキサーの分解図を〔図２〕に表す。
この発明の実施形態のフードミキサーのカッター部を〔図３〕に表す。
この発明の実施形態の生ごみ収集かごの側面図を〔図４〕に表す。
この発明の実施形態の生ごみ収集かごの平面図を〔図５〕に表す。
【符号の説明】
【００５０】  １    フードミキサーモーター部
２    フードミキサーカッター部
３    カッター
４    グリップ
５    運転入切スイッチ
【００５１】  ６    漏電ブレーカー付タップ
７    カッター部の接続ジョイント
８    カッター部のシャフト
９    軸受部
１０    モータ部の接続ジョイント
【００５２】１１    電源コード
１２    生ごみ収集かご
１３    水返しのつば
１４    排水孔
１５    孔が開いていない水を溜める傾斜部分
【００５３】１６    山形の溝
１７    水切り排水孔
１８    フランジ型のつば
１９    かごを取り出すためのとって
２０    かごを取付けるための、排水トラップのあご
【図１】
2006272306.tif 000003
【図２】
2006272306.tif 000004
【図３】
2006272306.tif 000005
【図４】
2006272306.tif 000006
【図５】
2006272306.tif 000007